(57)【要約】【課題】容器を横に仕切って水を上下方向に区分することにより、活魚を種類別等に区分けし、且つ、容器内に収納した氷により、種々の活魚を常に冷却する活魚の輸送用容器を提供する。【解決手段】網状仕切り１３は、水４を上下方向に区分することにより活魚３を区分けする。網状仕切り１３及び網状仕切り支え部１４は、中蓋６の下方において網状仕切り１３を第２の高さ１５に支える。中蓋６は、氷８が上面７から落ちないように上面７を囲う囲い９を有する。活魚３は泳ぐ状態で種類別等に区分けされ、傷付いて弱ることが防止され、輸送中もさらに効果的に冷却され、保冷されるため、活魚３の品質を落とすことなく輸送の便に供することが可能である。【選択図】                図１
2004173584.tif 000002
【特許請求の範囲】
【請求項１】
周壁の上方に開口部を有し、生きた状態の活魚が水と共に収納される容器部と、
前記開口部を密閉する上蓋と、
上面に氷を載せ、前記氷が前記上面から落ちないように前記上面を囲う囲いを有する中蓋と、
前記周壁の内側に設けられ、前記上蓋の下方において前記中蓋を第１の高さに支える中蓋用支え部と、
前記容器部を横に仕切って前記水を上下方向に区分することにより前記活魚を区分けする網状仕切りと、
前記周壁の内側に設けられ、前記中蓋の下方において前記網状仕切りを第２の高さに支える網状仕切り用支え部と、
電池と共に前記容器部に収納され、前記電池により駆動され外部から空気を供給するエアポンプと、
前記エアポンプから供給された前記空気を前記水に供給する空気供給管と、
から成ることを特徴とする活魚の輸送用容器。
【請求項２】
前記氷からの冷気が通過する通気孔が前記中蓋に設けられ、前記冷気は前記通気孔を通過して前記水を冷却する請求項１記載の活魚の輸送用容器
【請求項３】
前記エアポンプのスイッチを操作するために指を挿入する切欠き部を前記周壁に設ける請求項１記載の活魚の輸送用容器。
【請求項４】
前記網状仕切り及び前記網状仕切り用支え部は、単数段あるいは複数段設けられる請求項１記載の活魚の輸送用容器。
【請求項５】
前記容器、前記上蓋、前記中蓋は発泡樹脂から成り、前記網状仕切りは、樹脂製網あるいは金属製網から成る請求項１記載の活魚の輸送用容器。
【発明の詳細な説明】
【０００１】
【発明の属する技術分野】
本発明は、ボタンエビ、伊勢えび、シマエビ、アカエビ、カニなどの各種海老類や甲殻類、タイやヒラメ、フグなどの魚類、アワビやサザエのような貝類などからなる活魚を、生きた状態で輸送する活魚の輸送用容器に関する。
【０００２】
【従来の技術】
従来、例えば、特開平７−１６０３７号公報（特許文献１）に示されるボタンエビ、伊勢えび、タイ、ヒラメ、フグ等の活魚を生きた状態で輸送する活魚の輸送用容器は、容器内を縦に仕切って水を横方向に区分することにより活魚を区分けしていた。
【０００３】
【特許文献１】
特開平７−１６０３７号公報（段落番号０００９、図２）
【０００４】
【発明が解決しようとする課題】
そこで、本発明は、容器内を横に仕切って水を上下方向に区分することにより活魚を種類別等に区分けし、且つ、容器内に収納した氷により、種々の活魚を常に冷却する活魚の輸送用容器を提供することを目的とする。
【０００５】
【課題を解決するための手段】
請求項１の本発明は、周壁の上方に開口部を有し、生きた状態の活魚が水と共に収納される容器部と、
前記開口部を密閉する上蓋と、
上面に氷を載せ、前記氷が前記上面から落ちないように前記上面を囲う囲いを有する中蓋と、
前記周壁の内側に設けられ、前記上蓋の下方において前記中蓋を第１の高さに支える中蓋用支え部と、
前記容器部を横に仕切って前記水を上下方向に区分することにより前記活魚を区分けする網状仕切りと、
前記周壁の内側に設けられ、前記中蓋の下方において前記網状仕切りを第２の高さに支える網状仕切り用支え部と、
電池と共に前記容器部に収納され、前記電池により駆動され外部から空気を供給するエアポンプと、
前記エアポンプから供給された前記空気を前記水に供給する空気供給管と、
から成ることを特徴とする活魚の輸送用容器である。
【０００６】
請求項２の本発明は、前記氷からの冷気が通過する通気孔が前記中蓋に設けられ、記冷気は前記通気孔を前通過して前記水を冷却する請求項１記載の活魚の輸送用容器である。
請求項３の本発明は、前記エアポンプのスイッチを操作するために指を挿入する切欠き部を前記周壁に設ける請求項１記載の活魚の輸送用容器である。
請求項４の本発明は、前記網状仕切り及び前記網状仕切り用支え部は、単数段あるいは複数段設けられる請求項１記載の活魚の輸送用容器である。
請求項５の本発明は、前記容器、前記上蓋、前記中蓋は発泡樹脂から成り、前記網状仕切りは、樹脂製網あるいは金属製網から成る請求項１記載の活魚の輸送用容器である。
【０００７】
請求項１の本発明によれば、図１〜図７に示されるように、容器部１は、周壁２の上方に開口部１ａを有し、生きた状態の活魚３が水４と共に収納される。  図１２に示される上蓋５は、容器部１の開口部１ａを密閉する。中蓋６は、図１１に示されるように、氷８が上面７から落ちないように上面７を囲う囲い９を有する。図１〜図８に示されるように、中蓋用支え部１０は、周壁２の内側１１に設けられ、上蓋５の下方において中蓋６を第１の高さ１２に支える。  網状仕切り１３は、図６及び図７に示されるように、水４を上部４ａ，下部４ｂに区分することにより活魚３を区分けする。  網状仕切り用支え部１４は、周壁２の内側１１に設けられ、中蓋６の下方において網状仕切り１３を第２の高さ１５に支える。
エアポンプ１６は、電池１７と共に開口部１ｂに収納され、電池１７により駆動され外部１８から空気１９を供給する。空気供給管２０は、エアポンプ１６から供給された空気１９を水４に供給する。
このため、図６および図７に示されるように、活魚３は泳ぐ状態で区分けされるため、傷付いて弱ることが防止され、又、活魚３は氷による冷気を伴って常に保冷された状態で輸送が可能である。
【０００８】
請求項２の本発明によれば、図６、図７、図１１に示されるように、中蓋６の上面７に収納される氷８から発生する図示されない冷気は、中蓋６に設けられる通気孔２５を通過して、容器部１に収納される水４が冷却される。
このため、活魚３はさらに効果的に冷却され、保冷される。
請求項３の本発明によれば、図１〜図３に示されるように、容器部１の水４に空気１９を供給するエアポンプ１６のスイッチ２１を操作するために図示されない指を挿入する切欠き２３が、開口部１ｂの外側２２に設けられる。
このため、上蓋５を閉じたままの状態でエアポンプ１６の切替え操作が輸送中でも適宜可能となり、塵埃の侵入を防止でき、活魚３の鮮度を維持することが可能である。
請求項４の本発明によれば、図１〜図８、及び図１３〜図１５に示されるように、網状仕切り１３及び網状仕切り支え部１４は、活魚３の種類別等に応じて上下方向に単数段あるいは複数段設けられ、中蓋６の第１の高さ１２および、網状仕切り１３の第２の高さ１５が確保される。
このため、多種類の活魚３を泳ぐ状態で区分けすることができ、活魚３が傷付いて弱ることが防止され、より鮮度を保ったまま輸送することが可能である。
【０００９】
請求項５の本発明によれば、図１、図１１、図１２に示されるように、容器部１、上蓋５、中蓋６は発泡樹脂から成るため、軽量に構成され、強度も十分有し、又、保冷性も優れる。  図１３〜図１５に示されるように、網状仕切り１３は樹脂製網あるいは金属製網から成り、耐水性、耐久性が高い。
このため、活魚３の品質を落とすことなく、輸送の便に供することが可能である。
【００１０】
【発明の実施の形態】
以下、本発明を、図面を参照して、その実施の形態に基づいて説明する。
図１〜図１０に示されるように、容器部１は、上方に開口部１ａを有し、生きた状態の活魚３が水４と共に収納される。  図１２に示される上蓋５は開口部１ａ、及び、電池１７を含むエアポンプ１６を収納する開口部１ｂとを夫々密閉する。  従って，容器部１内の水４の一部が電池１７及びエアポンプ１６を収納される開口部１ｂに侵入するのを防止する。  図１〜図３に示されるように、容器部１の水４に空気１９を供給するエアポンプ１６のスイッチ２１を操作するために、図示されない指を挿入する切欠き２３が周壁２の外側２２に設けられる。切欠き２３の形状は、指を挿入してスイッチ２１の操作が可能であれば良く、限定されない。  図６、図７、図１１に示される中蓋６は、上面７の氷８からの図示されない冷気が通過する通気孔２５が設けられ、容器部１に収納される水４が冷却される。通気孔２５の形状、位置は限定されない。又、氷８が上面７から落ちないように上面７を囲う囲い９を有する。このため、活魚３はさらに効果的に冷却され、保冷される。
【００１１】
図１に示されるように、容器部１、上蓋５、中蓋６は発泡樹脂から成るため、軽量に構成され、強度も十分有し、又、保冷性も優れる。容器部１の形状は、好適には中空直方体であるが、用途に応じた所要形状で良く限定されない。  図１３〜図１５に示される網状仕切り１３、及び図２〜図４に示される網状仕切り支え部１４は、活魚３の種類別等に応じて単数段あるいは複数段設けられ、段数は限定されない。  網状仕切り１３は、好適には合成樹脂製網あるいは金属製網であるが、耐水性、耐久性に優れれば材質は限定されない。  図６において、活魚３をサイズ別に上下に区分けし、図７において活魚３を種類別に上下に区分けした例を示す。又、水４の収納量を調節することで、水４に浸す必要のない物を載せる棚として使用することも可能である。
さらに、図２〜図３に示されるように、エアポンプ１６は、電池１７と共に開口部１ｂに収納され、電池１７により駆動され外部１８から空気１９を供給する。空気供給管２０は、エアポンプ１６から供給された空気１９を水４に供給する。さらに、空気供給管２０の先端には、空気１９を水４に分散する空気分散器２４が設けられる。
【００１２】
【発明の効果】
本発明は、以上説明したように、容器内を横に仕切って水を上下方向に区分することにより活魚を種類別等に区分けし、且つ、容器内に収納した氷により、種々の活魚を常に冷却するという効果を奏する。
【図面の簡単な説明】
【図１】本発明の一実施の形態の分解斜視図である。
【図２】図１の実施の形態を構成する容器部の平面図である。
【図３】図２のＡ視断面図である。
【図４】図２のＢ視断面図である。
【図５】水、氷、活魚、エアポンプが装着された状態の図１の実施の形態を構成する容器部の平面図である。
【図６】活魚をサイズ別に上下に区分けした実施の形態の図５のＤ−Ｄ断面図である。
【図７】活魚を種類別に上下に区分けした実施の形態の図５のＤ−Ｄ断面図である。
【図８】図２のＣ視断面図である。
【図９】図１の実施の形態を構成する容器部の側面図である。
【図１０】図１の実施の形態を構成する容器部の底面図である。
【図１１】図１１（ａ）は図１の実施の形態を構成する中蓋の平面図である。
図１１（ｂ）は図１の実施の形態を構成する中蓋のＥ視断面図である。
図１１（ｃ）は図１の実施の形態を構成する中蓋のＦ視断面図である。
【図１２】図１２（ａ）は図１の実施の形態を構成する上蓋の裏面図である。
図１２（ｂ）は図１の実施の形態を構成する上蓋のＨ視断面図である。
図１２（ｃ）は図１の実施の形態を構成する上蓋のＧ視断面図である。
【図１３】図１の実施の形態を構成する網状仕切りの平面図である。
【図１４】図１の実施の形態を構成する網状仕切りの側面図である。
【図１５】図１の実施の形態を構成する網状仕切りの斜視図である。
【符号の説明】
１  容器部      １ａ，１ｂ  開口部        ２  周壁      ３  活魚
４  水        ４ａ  上部      ４ｂ下部    ５  上蓋      ６  中蓋
７  上面        ８  氷        ９  囲い              １０  中蓋用支え部
１１  周壁の内側            １２  第１の高さ        １３  網状仕切り
１４  網状仕切り用支え部    １５  第２の高さ        １６  エアポンプ
１７  電池      １８  外部          １９  空気      ２０  空気供給管
２１  スイッチ  ２２  周壁の外側    ２３  切欠き    ２４  空気分配器
２５  通気孔
【図１】
2004173584.tif 000003
【図２】
2004173584.tif 000004
【図３】
2004173584.tif 000005
【図４】
2004173584.tif 000006
【図５】
2004173584.tif 000007
【図６】
2004173584.tif 000008
【図７】
2004173584.tif 000009
【図８】
2004173584.tif 000010
【図９】
2004173584.tif 000011
【図１０】
2004173584.tif 000012
【図１１】
2004173584.tif 000013
【図１２】
2004173584.tif 000014
【図１３】
2004173584.tif 000015
【図１４】
2004173584.tif 000016
【図１５】
2004173584.tif 000017